(57)【要約】【課題】洗浄した洗浄対象物に付着した水滴を蒸発させやすくすることができる医療・介護用容器の洗浄装置及び処理装置を提供すること。【解決手段】本発明の医療・介護用容器の洗浄装置（第１処理槽１０）は、洗浄液が供給されるチャンバ１１と、チャンバ１１内に位置し、洗浄液を噴射して再利用可能な容器３１を洗浄するノズル４１，４２と、再利用可能な容器３１を乾燥させる乾燥気体をチャンバ１１内に供給する送風器９５と、を備える。【選択図】  図１
2020062533.tif 000002
【特許請求の範囲】
【請求項１】
洗浄液が供給されるチャンバと、
前記チャンバ内に位置し、前記洗浄液を噴射して再利用可能な容器を洗浄するノズルと、
前記再利用可能な容器を乾燥させる乾燥気体を前記チャンバ内に供給する送風器と、
前記洗浄液を前記ノズルに供給する第１供給部と、
前記乾燥気体を前記ノズルに供給する第２供給部と、
前記洗浄液及び前記乾燥気体の前記ノズルへの供給を制御する供給選択部と、を備え、
前記ノズルは、前記再利用可能な容器を支持する支持具に設けられ、該再利用可能な容器の内側に前記洗浄液を噴射する第２ノズルを備えることを特徴とする医療・介護用容器の洗浄装置。
【請求項２】
前記供給選択部は、前記洗浄液及び前記乾燥気体のいずれか一方の前記ノズルへの供給を停止させ、いずれか他方の前記ノズルへの供給を開始することを特徴とする請求項１に記載の医療・介護用容器の洗浄装置。
【請求項３】
前記ノズルは、前記再利用可能な容器の外側に前記洗浄液を噴射する第１ノズルを備えることを特徴とする請求項１又は２に記載の医療・介護用容器の洗浄装置。
【請求項４】
前記洗浄液を生成する洗浄液生成装置を備え、
前記洗浄液生成装置は、微酸性電解水を生成する電解水生成器と、
前記微酸性電解水に乾燥促進剤又は撥水剤を混合する混合器と、を有することを特徴とする請求項１から３のいずれか一項に記載の医療・介護用容器の洗浄装置。
【請求項５】
前記送風器により前記チャンバ内に供給される前記乾燥気体を前記チャンバに供給する前に加熱する加熱器を備えることを特徴とする請求項１から４のいずれか一項に記載の医療・介護用容器の洗浄装置。
【請求項６】
筐体内に、
請求項１から５のいずれか一項に記載の医療・介護用容器の洗浄装置と、
液を貯留可能であって使い捨て容器が投入されるシンク、前記シンク内の前記液内に前記使い捨て容器を浸して撹拌する撹拌部材及び該撹拌部材を回転させるモータを有する分
解装置と、を備えることを特徴とする医療・介護用容器の処理装置。
【発明の詳細な説明】
【技術分野】
【０００１】
本発明は、医療分野や介護分野で用いられている汚物処理のための医療・介護用容器を洗浄して乾燥させる洗浄装置及び処理装置に関する。
【背景技術】
【０００２】
医療分野や介護分野で用いられている容器として、患者の排泄物などの汚物を処理するための便器や尿器等の容器がある。これら容器を洗浄して再利用するための洗浄装置として、例えば特許文献１又は特許文献２に開示のものがある。
特許文献１に開示の装置（ベッドパン洗浄機）は、その前面から下方に開口する前蓋にベッドパンを取り付けられるようになっており、ベッドパンを取り付けて前蓋を閉じると、ベッドパンが１８０°回転させられ、洗浄液噴射ノズルから洗浄液を噴射してベッドパンの汚物の放出と洗浄を行うことができるようになっている。
【０００３】
一方、特許文献２に開示の装置は、洗浄装置内に、容器を支持するための支持具が設けられており、その支持具が複数本の支柱を組み合わせた構成とされ、種々な寸法、形状の容器を支持することができるようになっている。
この種の洗浄装置においては、容器の再利用のため、洗浄とともに消毒して再利用時の感染を防止する必要がある。また、病院等の施設においては、ある程度、容器をストックしておく必要があるが、尿器等の筒状の容器では重ねることができずに嵩張るために、狭い汚物処理室などでは保管場所を確保するのが困難になっている。
【先行技術文献】
【特許文献】
【０００４】
【特許文献１】実用新案登録第３０３５５８４号公報
【特許文献２】特開２００５‐２５４０６３号公報
【発明の概要】
【発明が解決しようとする課題】
【０００５】
ところで、上述したような再利用可能な容器を洗浄する洗浄装置において、再利用可能な容器を洗浄した場合、洗浄液（水滴）が該容器に付着したままとなる。このような水滴が付着した再利用可能な容器は、菌が繁殖しやすい状態となるため、洗浄後に該水滴をできるだけ早く拭き取る必要があり、煩雑である。
【０００６】
本発明は、このような事情に鑑みてなされたもので、洗浄した再利用可能な容器に付着した水滴を蒸発させやすくすることができる医療・介護用容器の洗浄装置及び処理装置を提供することを目的とする。
【課題を解決するための手段】
【０００７】
本発明の医療・介護用容器の洗浄装置は、洗浄液が供給されるチャンバと、前記チャンバ内に位置し、前記洗浄液を噴射して再利用可能な容器を洗浄するノズルと、前記再利用可能な容器を乾燥させる乾燥気体を前記チャンバ内に供給する送風器と、を備える。
【０００８】
本発明では、ノズルから噴出した洗浄液により洗浄された再利用可能な容器に、送風器からチャンバ内に供給された上記乾燥気体が供給され、再利用可能な容器が乾燥されるので、該容器に付着した洗浄液（水滴）を蒸発させやすくできる。
【０００９】
本発明の洗浄装置の好ましい態様としては、前記洗浄液を前記ノズルに供給する第１供
給部と、前記乾燥気体を前記ノズルに供給する第２供給部と、前記洗浄液及び前記乾燥気体の前記ノズルへの供給を制御する供給選択部と、を備えるとよい。
上記態様では、供給選択部の制御により第１供給部からの洗浄液及び第２供給部からの乾燥気体のそれぞれをノズルに自在に供給できる。また、乾燥気体を供給する構成をチャンバ内に別途設ける必要がないので、チャンバ内により多くの再利用可能な容器を収容できる。
【００１０】
本発明の洗浄装置の好ましい態様としては、前記供給選択部は、前記洗浄液及び前記乾燥気体のいずれか一方の前記ノズルへの供給を停止させ、いずれか他方の前記ノズルへの供給を開始するとよい。
上記態様では、供給選択部により乾燥気体のノズルへの供給が停止されると、第１供給部により洗浄液がノズルに供給され、供給選択部により洗浄液のノズルへの供給が停止されると、第２供給部により乾燥気体がノズルに供給される。このため、ノズルから洗浄液を噴射させて再利用可能な容器を洗浄した後、ノズルから乾燥気体を再利用可能な容器に確実に供給できる。
【００１１】
本発明の洗浄装置の好ましい態様としては、前記ノズルは、前記再利用可能な容器の外側に前記洗浄液を噴射する第１ノズルを備えるとよい。
上記態様では、第１ノズルにより再利用可能な容器の外側を洗浄し、かつ、乾燥させることができる。
【００１２】
本発明の洗浄装置の好ましい態様としては、前記ノズルは、前記再利用可能な容器を支持する支持具に設けられ、該再利用可能な容器の内側に前記洗浄液を噴射する第２ノズルを備えるとよい。
上記態様では、第２ノズルにより再利用可能な容器の内側を洗浄し、かつ、乾燥させることができる。また、ノズルが第１ノズル及び第２ノズルの両方を備えている場合には、第１ノズルにより再利用可能な容器の外側を洗浄及び乾燥させ、第２ノズルにより再利用可能な容器の内側を洗浄及び乾燥させるので、再利用可能な容器を確実に洗浄及び乾燥させることができる。
【００１３】
本発明の洗浄装置の好ましい態様としては、前記洗浄液を生成する洗浄液生成装置を備え、前記洗浄液生成装置は、微酸性電解水を生成する電解水生成器と、前記微酸性電解水に乾燥促進剤を混合する混合器と、を有するとよい。
【００１４】
ここで、乾燥促進剤は、いわゆる界面活性剤であり、これが付着した物質の濡れ性を高める機能を有している。
上記態様では、微酸性電解水に乾燥促進剤が混合されているので、この洗浄液により洗浄された再利用可能な容器の表面の濡れ性が高まり、該表面には、洗浄液が薄い膜のように付着した状態となる。このため、乾燥時に該洗浄液を蒸発させやすくすることができる。
また、微酸性電解水は、希塩酸を電気分解した液を水で希釈したものであり、殺菌、消臭効果を有することから、洗浄後の再利用可能な容器の安全性を高めることができる。
【００１５】
本発明の洗浄装置の好ましい態様としては、前記洗浄液を生成する洗浄液生成装置を備え、前記洗浄液生成装置は、微酸性電解水を生成する電解水生成器と、前記微酸性電解水に撥水剤を混合する混合器と、を有するとよい。
ここで、撥水剤は、これが付着した物質の表面張力を高める（濡れ性を低下させる）機能を有している。
上記態様では、微酸性電解水に撥水剤が混合されているので、この洗浄液により洗浄された再利用可能な容器の表面の表面張力が高まり、該表面には、洗浄液が複数の水滴が付着した状態となる。このため、ノズルから乾燥気体が供給されると、該乾燥気体により複数の水滴を吹き飛ばすことで、上記水滴を除去することができる。
また、上述したように、微酸性電解水は、希塩酸を電気分解した液を水で希釈したものであり、殺菌、消臭効果を有することから、洗浄後の再利用可能な容器の安全性を高めることができる。
【００１６】
本発明の洗浄装置の好ましい態様としては、前記送風器により前記チャンバ内に供給される前記乾燥気体を前記チャンバに供給する前に加熱する加熱器を備えるとよい。
上記態様では、チャンバ内に供給される乾燥気体が該チャンバに供給される前に加熱器により加熱されるので、該加熱された乾燥気体により再利用可能な容器に付着した洗浄液をより迅速に蒸発させる（除去する）ことができる。
【００１７】
本発明の医療・介護用容器の処理装置は、筐体内に、上記洗浄装置と、液を貯留可能であって使い捨て容器が投入されるシンク、前記シンク内の前記液内に前記使い捨て容器を浸して撹拌する撹拌部材及び該撹拌部材を回転させるモータを有する分解装置と、を備える。
洗浄装置において再利用可能な容器の洗浄を行い、分解装置の撹拌槽において使い捨て容器の分解処理を行うことができ、容器に応じて洗浄装置及び分解装置を使い分け、適切な処理を行わせることができる。そして、これら洗浄装置及び分解装置を一つの筐体内に配置したことにより、その設置、移動も容易になり、病棟内の狭いスペースにも設置することが可能になる。
【発明の効果】
【００１８】
本発明によれば、洗浄した再利用可能な容器に付着した水滴を蒸発させやすくすることができる。
【図面の簡単な説明】
【００１９】
【図１】本発明の第１実施形態における医療・介護用容器の処理装置の左側面を紙面の手前に配置した外観斜視図であって、筐体の内部を明示したものであり、扉が開かれた状態を示す図である。
【図２】上記実施形態における医療・介護用容器の処理装置の左側面図であって、筐体の内部を明示したものであり、扉が開かれた状態を示す図である。
【図３】上記実施形態における医療・介護用容器の処理装置の左側面図であって、筐体の内部を明示したものであり、扉が閉じられた状態を示す図である。
【図４】上記実施形態における医療・介護容器の処理装置の右側面を紙面の手前に配置した斜視図である。
【図５】上記実施形態における医療・介護容器の処理装置の右側面図であって、筐体の内部を明示した図である。
【図６】上記実施形態における供給配管及び供給選択部を拡大して示す図である。
【図７】本発明の第２実施形態における洗浄装置の外観斜視図である。
【図８】上記実施形態における洗浄装置の筐体の内部を明示したものである。
【発明を実施するための形態】
【００２０】
以下、本発明の洗浄装置及び該洗浄装置を備える医療・介護用容器の処理装置の実施形態について、図面を参照して説明する。
［第１実施形態］
［医療・介護用処理装置の概略構成］
第１実施形態の医療・介護用容器の処理装置１０１は、図１に示されるように、縦長直方体状の筐体１内に、再利用可能な容器３１を洗浄することが可能な第１処理槽１０（洗浄装置）と、使い捨て容器３２を分解可能な第２処理槽２０（分解装置）とを備えており、再生利用可能な容器３１であるか、使い捨て容器３２であるかに応じて、第１処理槽１０と第２処理槽２０とを使い分け、適切な処理を行わせることができる。また、この処理装置１０１では、一つの筐体１内に第１処理槽１０と第２処理槽２０とを集約して配置しているので、これらを一体として設置、移動できる。さらに、この処理装置１０１では、図１及び図２に示されるように、第１処理槽１０の下方に第２処理槽２０が配置されており、二つの処理槽１０，２０を上下に配置しているので、病棟内の狭いスペースにも設置することができる。
【００２１】
なお、再利用可能な容器３１としては、例えば尿器、陰洗ボトル、貯尿器、計量カップやメスシリンダー等がある。これらの再利用可能な容器３１はプラスチックやゴム等で成形されたもの、又はガラス製とされ、使用の都度、第１処理槽１０において洗浄することで再使用される。一方、使い捨て容器３２は、例えば便器、差込便器、ポータブルトイレ用バケツ受け等があり、主に感染リスクの高い汚物（大便）を処理するための容器である。また、これ以外にも、ガーグルベースン、膿盆、バット、ユーリパン等の使い捨て容器３２がある。そして、これらの使い捨て容器３２は、水等により分解可能なパルプ等により形成され、第２処理槽２０において、洗浄液と一緒に撹拌しながら分解した後で、廃棄処理される。
このような本実施形態の処理装置１０１は、第１処理槽１０において再利用可能な容器３１の洗浄後に、該再利用可能な容器３１を乾燥させることを特徴としている。
【００２２】
また、処理装置１０１の筐体１には、第１処理槽１０と第２処理槽２０との前方を開閉可能な扉２Ａと、この扉２Ａの開閉を行う開閉駆動部３Ａとが設けられており、図１〜図３に示すように、この扉２Ａを開いて第１処理槽１０及び第２処理槽２０の前方を開放することにより、第１処理槽１０内に再利用可能な容器３１を配置し、第２処理槽２０内に使い捨て容器３２を投入可能となっている。また、処理装置１０１では、第１処理槽１０と第２処理槽２０とが、その前方を単一の扉２Ａで開閉可能に設けられており、開閉駆動部３Ａにより扉２Ａを第１処理槽１０及び第２処理槽２０の前面に沿って上下移動（上下方向にスライド）することにより、第１処理槽１０と第２処理槽２０との両方の前方が閉鎖された状態と、第１処理槽１０と第２処理槽２０の前方を開口して両処理槽１０，２０の前方を開放した状態とを選択して、扉２Ａの開閉ができるようになっている。なお、第２処理槽２０の前方のみを開口して第１処理槽１０の前方を閉鎖した状態を選択して開閉させることにしてもよい。
【００２３】
なお、本実施形態の処理装置１０１においては、扉２Ａを開閉する開閉駆動部３Ａが、図１〜図３に示すように、扉２Ａに駆動力を付与するためのアクチュエータ４と、扉２Ａを上下方向に案内するためのガイド機構５Ａとを有する構成とされる。
本実施形態においては、アクチュエータ４が電動のアクチュエータにより構成されており、伸縮駆動可能とされる。また、ガイド機構５Ａは、扉２Ａを上下方向に案内するガイドレール部５１と、３つのアーム部材５５〜５７からなるリンク部５２とを備えている。
【００２４】
ガイドレール部５１には、上下方向に延びる溝部５１ａが形成されており、扉２Ａの側面部には、この溝部５１ａに係合する軸部２９ａ〜２９ｃが設けられている。このため、扉２Ａは、溝部５１ａの延伸方向（上下方向）に沿って、移動が案内されるようになっている。また、リンク部５２を構成するアーム部材５５〜５７のうち第１アーム部材５５は、その一端部がアクチュエータ４に接続され、他端部が支軸５３に軸支され、アクチュエータ４の伸縮駆動に応じてその他端部回りに回動可能に設けられている。また、第２アーム部材５６の一端部は、第１アーム部材５５の他端部に接続され、第１アーム部材５５と一体で支軸５３回りに回動可能に設けられている。そして、第２アーム部材５６の他端部と第３アーム部材５７の一端部とは、支軸５４により互いに回動可能に軸支されている。また、第３アーム部材５７の他端部は、扉２Ａに設けられた三つある軸部２９ａ〜２９ｃのうちの一つの軸部２９ｂに軸支されている（なお、軸部２９ｂは、上側の軸部２９ａと下側の軸部２９ｃとの間に配置されている。）。これにより、アクチュエータ４が伸縮駆動すると、ガイド機構５Ａを介して扉２Ａに駆動力が伝達され、扉２Ａが上下移動されるようになっている。なお、扉２Ａの開閉位置は、センサ（受信部）３５により検知することとしており、第２アーム部材５６に発信部（発光素子やマグネット等）３６が取り付けられ、発信部３６からの光や磁力等を検知して扉２Ａの移動が制御される。
【００２５】
扉２Ａの開閉駆動について、図面を用いて詳しく説明する。
図３に示すように、扉２Ａを閉じた状態では、アクチュエータ４が伸長した状態となっており、第２アーム部材５６と第３アーム部材５７とが折り畳まれた状態とされている。この状態から、図２及び図５に示すようにアクチュエータ４を短くすると（縮ませると）、第１アーム部材５５及び第２アーム部材５６が支軸５３回りに（図３では、時計回りに）回動する。これにより、第２アーム部材５６の一端部が下方向に移動し、他端部が上方向に移動する。この際、第２アーム部材５６の他端部に接続された第３アーム部材５７の一端部が、第２アーム部材５６の他端部とともに上方向に持ち上げられることで、第２アーム部材５６と第３アーム部材５７の間が開かれる。そして、軸部２９ｂに接続されている第３アーム部材５７の他端部がガイドレール部５１の溝部５１ａに沿って上方向に移動することで、扉２Ａが上方向に持ち上げられ、扉２Ａが開かれる。
【００２６】
また、このように扉２Ａが開いた状態から扉２Ａを閉じるには、縮んだ状態のアクチュエータ４を伸長させる。アクチュエータ４を伸長させると、第１アーム部材５５及び第２アーム部材５６が支軸５３回りに（図１及び図２では、反時計回りに）回動する。これにより、第２アーム部材５６の一端部が上方向に移動し、他端部が下方向に移動する。この際、第２アーム部材５６の他端部に接続された第３アーム部材５７の一端部が、第２アーム部材５７の他端部とともに下方向に下げられることで、第２アーム部材５６と第３アーム部材５７との間が閉じて、第２アーム部材５６と第３アーム部材５７とが折り畳まれる。そして、軸部２９ｂに接続されている第３アーム部材５７の他端部がガイドレール部５１の溝部５１ａに沿って下方向に移動することで、扉２Ａが下方向に下げられ、扉２Ａが閉じられる。
【００２７】
このように、処理装置１０１では、扉２Ａを上下移動させる構造としているので、扉２Ａの開閉のためのスペースを装置の前方に大きく確保する必要がなく、処理装置１０１の設置スペースを小さくすることができる。なお、扉２Ａの移動は上下方向のスライドに限定されるものではなく、扉２Ａを左右方向にスライドする構成としてもよい。この場合においても、扉２Ａを第１処理槽１０及び第２処理槽２０の前面に沿って移動させる構造としたことにより、処理装置１０１の設置スペースを小さくすることができる。
【００２８】
［第１処理槽の構成］
次に、図１〜図３に示すように、処理装置１０１の第１処理槽１０は、洗浄液が供給されるチャンバ１１と、チャンバ１１内に配置され再利用可能な容器３１を被洗浄位置に支持するための支持具１２と、チャンバ１１内に洗浄液又は乾燥気体を供給可能なノズル４１，４２とを備えている。
チャンバ１１には、二種類のノズル４１，４２が備えられており、いずれも洗浄液又は乾燥気体を供給する供給配管９の接続管９４Ｃに接続され、この接続管９４Ｃからノズル４１，４２を通じてチャンバ１１内に洗浄液又は乾燥気体が供給されるようになっている。このうち第１ノズル４１は、チャンバ１１の上部に配置されており、チャンバ１１の上部から下方に向けてチャンバ１１内に洗浄液又は乾燥気体を供給可能となっている。また、もう一つの第２ノズル４２は、支持具１２に取り付けられている。
【００２９】
支持具１２は、図２に示すように、分岐された複数の支柱１３を有しており、各支柱１
３は、互いに並行して配置されている。また、各支柱１３は基端部において、それぞれ接続管９４Ｃに接続されている。また、支持具１２は、図２に示すように、その基端部が処理装置１０１の後方側に配置され、先端部が処理装置１０１の前方側に配置されており、処理装置１０１の後方側から前方側にかけて上方に向けて傾斜して取り付けられている。第１処理槽１０では、図３に示すように、この支持具１２の各支柱１３に再利用可能な容器３１を被せて配置することで、つまり、各支柱１３を容器３１の開口部から内部に差し込み、各支柱１３の先端を容器３１の内部に当接させることにより、容器３１の開口部が斜め下方を向くようにして容器３１を被洗浄位置に支持できるようになっている。
【００３０】
また、各支柱１３の先端部のそれぞれには、前述した第２ノズル４２が取り付けられており、接続管９４Ｃから供給された洗浄液又は乾燥気体が、各支柱１３の内部を通じて第２ノズル４２の先端から放出されることにより、容器３１の内部を洗浄及び乾燥できるようになっている。なお、各支柱１３の基端部には、細孔（図示省略）が複数設けられており、これらの細孔を通じても洗浄液又は乾燥気体が放出されるようになっているので、容器３１の開口部の細部も確実に洗浄又は乾燥できる。
【００３１】
また、支持具１２に支持された容器３１の外周面は、チャンバ１１の上部に配置された第１ノズル４１から洗浄液が容器３１の外周面に向けて噴射されることにより洗浄される。なお、各支柱１３の傾斜角度は、第２ノズル４２から容器３１の内部に供給された洗浄液が、自重で容器３１の外部へ流出する角度に設定されており、これに対応して、第２ノズル４２も斜め上方を向くようにして配置される。なお、各支柱１３の傾斜角度は、例えば水平面に対して３０°〜９０°程度とされる。
【００３２】
［洗浄液及び乾燥気体の供給構造］
このような第１処理槽１０は、洗浄液を各ノズル４１，４２に供給する第１供給部９０Ａと、乾燥気体を第１ノズル４１及び第２ノズル４２に供給する第２供給部９０Ｂと、洗浄液及び乾燥気体のいずれか一方の各ノズル４１，４２への供給を停止させ、いずれか他方の各ノズル４１，４２への供給を開始する供給選択部９０Ｃと、を備えている。
なお、第１供給部９０Ａは、第３ノズル４３に洗浄液を供給する機能も併せて備えている。
【００３３】
［第１供給部の構成］
第１供給部９０Ａは、図４及び図５に示すように、微酸性電解水を生成する微酸性電解水生成器９１と、微酸性電解水生成器９１により生成された微酸性電解水を貯留するタンク９２と、該タンク９２に貯留された微酸性電解水に乾燥促進剤を混合する混合器９３と、乾燥促進剤が混合された微酸性電解水を第１処理槽１０及び第２処理槽２０で用いられる洗浄液として供給配管９に供給するポンプ９４とにより構成されている。これらのうち、微酸性電解水生成器９１、タンク９２及び混合器９３により、本発明の洗浄液生成装置が構成される。
この微酸性電解水生成器９１では、希塩酸を電気分解して生成した次亜塩素酸を、水道水と一定の割合で混ぜることにより希釈し、微酸性電解水を生成する。微酸性電解水は、陽極と陰極が隔膜で仕切られていない一室型電解装置で、２〜６％塩酸水（希塩酸）を電解することにより生成されるｐＨが５．０〜６．５で、有効塩素が１０〜８０ｐｐｍとされる次亜塩素酸水溶液である。そして、微酸性電解水は、高い殺菌、抗菌、消臭効果を有する一方で、人の健康を損なうおそれがなく、食品添加物に指定されるものである。また、微酸性電解水は塩素臭等もないので、再利用可能な容器３１を洗浄した後の使用も安全である。
【００３４】
供給配管９は、ポンプ９４と各ノズル４１〜４３との間に設けられており、ポンプ９４の吐出口に接続された接続管９４Ａと、接続管９４Ａの先端から２つに分岐された接続管
９４Ｂ，９４Ｃと、を備えている。接続管９４Ｂは、第２処理槽２０の第３ノズル４３に接続され、接続管９４Ｃは、第１処理槽１０の第１ノズル４１及び第２ノズル４２に接続されている。
また、タンク９２では、微酸性電解水に混合器９３から配管９３Ａを介して乾燥促進剤が供給され、該タンク９２内において乾燥促進剤と微酸性電解水とが混合されて、上記洗浄液となる。この乾燥促進剤は、いわゆる界面活性剤であり、これが付着した物質の濡れ性を高める機能を有している。そして、乾燥促進剤が混合された洗浄液は、ポンプ９４の駆動により配管９２Ａを介してポンプ９４内に供給され、図６に示すように、接続管９４Ａ及び接続管９４Ｃを介してノズル４１，４２（第１処理槽１０）に供給され、接続管９４Ａ及び接続管９４Ｂを介して、ノズル４３（第２処理槽２０）に供給される。
このように、処理装置１０１では、殺菌・除菌・消臭効果の強い微酸性電解水を洗浄液として使用することで、容器３１の洗浄、すすぎを行いながら、容器３１の除菌と、各処理槽１０，２０内、配管等も同時に除菌が行える。
【００３５】
［第２供給部の構成］
第２供給部９０Ｂは、図４及び図５に示すように、再利用可能な容器３１を乾燥させる乾燥気体をチャンバ１１内に供給する送風器９５により構成されている。この送風器９５には、該送風器９５によりチャンバ１１内に供給される乾燥気体を加熱する加熱器が設けられている。また、図６に示すように、送風器９５には接続管９５Ａが接続され、この接続管９５Ａの先端部は、供給配管９における接続管９４Ｂ，９４Ｃとの分岐位置より下流側で、接続管９４Ｃにおける後述の第１電磁弁９６より下流位置に接続されている。これにより、加熱された乾燥気体が接続管９５Ａ及び供給配管９の接続管９４Ｃを介して第１処理槽１０（チャンバ１１）内に供給される。
【００３６】
［供給選択部の構成］
供給選択部９０Ｃは、洗浄液又は乾燥気体のいずれか一方のノズル４１，４２への供給を停止させ、いずれか他方のノズル４１，４２への供給を開始する。なお、供給選択部９０Ｃは、洗浄液のノズル４３への供給も併せて制御する。この供給選択部９０Ｃは、図４及び図５に示すように、接続管９４Ａから接続管９４Ｂ，９４Ｃへの分岐部の直後に配置され、接続管９４Ｃを開閉する第１電磁弁９６と、接続管９４Ｂに配置され、その管路を開閉する第２電磁弁９７と、接続管９５Ａに配置され、その管路を開閉する第３電磁弁９８と、により構成されている。
【００３７】
この供給選択部９０Ｃは、第１処理槽１０において再利用可能な容器３１を洗浄する際には、第１電磁弁９６を開放させて接続管９４Ａを介して洗浄液を接続管９４Ｃに流通させ、第３電磁弁９８を閉塞させて乾燥気体の接続管９５Ａを介する接続管９４Ｃへの流通を停止させる。なお、第１処理槽１０において実行される洗浄処理と同時に第２処理槽２０において分解処理が行われる場合には、第２電磁弁９７も併せて開放する。
一方、供給選択部９０Ｃは、第１処理槽１０において再利用可能な容器３１を乾燥する際には、第１電磁弁９６及び第２電磁弁９７を閉塞させて接続管９４Ａを介する接続管９４Ｃへの洗浄液の流通及び接続管９４Ｂを介する第３ノズル４３への洗浄液の流通を停止させ、第３電磁弁９８を開放させて接続管９５Ａを介して乾燥気体を接続管９４Ｃに流通させる。このように第１電磁弁９６及び第３電磁弁９８のいずれかを開放し、他方を閉塞することで、第１処理槽１０（チャンバ１１）内に洗浄液又は乾燥気体のいずれかを供給するようにしている。なお、第２電磁弁９７は、第２処理槽２０における処理に応じて開閉される。
【００３８】
［第２処理槽の構成］
第２処理槽２０は、液を貯留可能であって使い捨て容器３２が投入されるシンク２１と、そのシンク２１内の液に使い捨て容器３２を浸して攪拌しながら分解可能な撹拌部材２２と、撹拌部材２２を回転させるモータ２３と、シンク２１内に洗浄液を供給可能な第３ノズル４３とを有する。この場合、第２処理槽２０は第１処理槽１０の下方に配置されており、第２処理槽２０の上部には、第１処理槽１０から流下する洗浄液を流下可能な開口２５（図２及び図３参照）が形成されている。
【００３９】
そして、開口２５には、洗浄液を流下可能な複数の網目（図示略）を有する網板７が設けられており、この網板７により、第１処理槽１０と第２処理槽２０との間が仕切られている。このため、第１処理槽１０で洗浄を行う再利用可能な容器３１を誤って落下させることがあっても、網板７上に落下し、第２処理槽２０まで容器３１が到達することを回避できる。また、第１処理槽１０のノズル４１，４２からチャンバ１１内に供給された洗浄液は、網板７の網目を通じて第２処理槽２０に流下されるようになっており、その洗浄液を第２処理槽２０のシンク２１で貯留することで（溜めることで）、第２処理槽２０の液として使用可能となっている。
【００４０】
また、シンク２１の下部には、シンク２１内で破砕された容器及び洗浄液を排出可能な排液系８が接続されており、第１処理槽１０で使用された洗浄液は、網板７の網目を通じて第２処理槽２０に流下され、第２処理槽２０を経由して排液系８から排出されるようになっている。また、第１処理槽１０で使用された洗浄液と、第２処理槽２０で使用された洗浄液及び処理された容器とが併せて１つの排液系８から外部（下水）に排出されるようになっている。
【００４１】
また、網板７は、支持具１２の各支柱１３の傾斜角度に沿うようにして、処理装置１０１の後方側から前方側にかけて漸次上方に向けて傾斜して設けられている。これにより、第１処理槽１０と第２処理槽２０とが接近して配置され、第１処理槽１０の開口部（操作口）と第２処理槽２０の開口部（操作口）とが作業者が操作しやすい場所にまとめて配置されている。また、第１処理槽１０の開口部と第２処理槽２０の開口部とを接近させて配置した分だけ処理装置１０１の高さが低く形成できるので、第１処理槽１０の開口部と第２処理槽２０の開口部とを比較的広く確保しながら、設置スペースの省スペース化を図ることができる。
【００４２】
また、処理装置１０１には、扉２Ａの開閉操作や、両処理槽１０，２０の運転等の操作を行うフットスイッチ６が備えられており、作業者は、足元に置かれたフットスイッチ６を操作することにより、手を触れることなく処理装置１０１の操作を行えるため、感染のリスクを少なくできる。
なお、本実施形態の処理装置１０１には３つのフットスイッチが備えられており、図３において手前に配置される一番目のフットスイッチが扉の開閉用スイッチ６１、中央に配置される二番目のフットスイッチが第１処理槽１０の第１運転プログラム開始スイッチ６２、最も奥側に配置される三番目のフットスイッチが第２処理槽２０の第２運転プログラム開始スイッチ６３とされる。
【００４３】
［再利用可能な容器の洗浄及び乾燥方法］
このように構成される処理装置１０１において、再利用可能な容器３１を洗浄する場合には、まず、開閉用スイッチ６１を操作して扉２Ａを開き、第１処理槽１０の前方の開口部から、チャンバ１１内の支持具１２の支柱１３に容器３１を被洗浄位置に支持する。そして、第１処理槽１０の運転プログラムをスタートさせる。本実施形態の処理装置１０１では、第１運転プログラム開始スイッチ６２の操作により、第１処理槽１０の運転プログラムをスタートさせることができる。第１処理槽１０の運転プログラムをスタートさせると、扉２Ａが閉まり、第１処理槽１０と第２処理槽２０が閉鎖される。そして、第１処理槽１０と第２処理槽２０とが閉鎖された後、供給選択部９０Ｃにより、第１電磁弁９６が開放され、第２電磁弁９７が閉塞され、かつ、第３電磁弁９８が閉塞されることで、接続
管９４Ａを介して接続管９４Ｃに洗浄液が供給され、ノズル４１，４２から洗浄液が放出され、容器３１が洗浄される。
【００４４】
この容器３１の洗浄中は、上部の第１ノズル４１から洗浄液が容器３１の外周面に噴射されるだけではなく、容器３１の内部に挿入された支柱１３の先端のノズル４２や上記細孔により、容器３１の内周面（内部）にも洗浄液が噴射される。そして、容器３１の内部に噴射され、容器３１内を洗浄し終わった水等は、容器３１の開口部が斜め下方を向くようになっていることから、自重で容器３１内から流出される。また、第１処理槽１０で使用した使用後の洗浄液は、第２処理槽２０に流下して、排液系８から下水に排出される。
【００４５】
そして、容器３１の洗浄が終了すると、供給選択部９０Ｃにより第１電磁弁９６が閉鎖され、かつ、第３電磁弁９８が開放されることで、送風器９５から加熱された乾燥気体が接続管９５Ａを介して接続管９４Ｃに供給される。
ここで、洗浄液として用いられる微酸性電解水には乾燥促進剤が混合されているので、この洗浄液により洗浄された再利用可能な容器３１の表面の濡れ性が高まることから、該表面には、洗浄液が薄い膜のように付着した状態となる。この状態の容器３１に対して、第１ノズル４１及び第２ノズル４２から上記乾燥気体が放出され、容器３１が乾燥される。このため、乾燥時に該洗浄液を蒸発させやすくすることができる。
【００４６】
なお、容器３１の乾燥中は、上部の第１ノズル４１から加熱された乾燥気体が容器３１の外周面に送風されるだけではなく、容器３１の内部に挿入された支柱１３の先端の第２ノズル４２や上記細孔により、容器３１の内周面（内部）にも加熱された乾燥気体が噴射される。このように、第１ノズル４１により再利用可能な容器の外側を洗浄及び乾燥させ、第２ノズル４２により再利用可能な容器３１の内側を洗浄及び乾燥させるので、再利用可能な容器３１を確実に洗浄及び乾燥させることができる。
【００４７】
そして、容器３１の乾燥終了後には扉２Ａが開かれ、第１運転プログラムが終了したことを作業者に知らせる。これにより、作業者は、洗浄及び乾燥済の容器３１を第１処理槽１０から取り出すことができる。また、開いた状態の扉２Ａは、開閉用スイッチ６１を操作することにより、閉じることができる。
【００４８】
［使い捨て容器の分解方法］
また、処理装置１０１において、使い捨て容器３２を廃棄処理する場合には、開閉用スイッチ６１を操作して扉２Ａを開く。そして、第２処理槽２０の前方の開口部から、シンク２１内に容器３２を投入した後、第２処理槽２０の運転プログラムをスタートさせる。本実施形態の処理装置１０１では、第２運転プログラム開始スイッチ６３の操作により、第２処理槽２０の運転プログラムをスタートさせることができる。第２処理槽２０の運転プログラムをスタートさせると、扉２Ａが閉まり、第１処理槽１０と第２処理槽２０とが閉鎖され、供給選択部９０Ｃにより第１及び第２電磁弁９６，９７が開放され、第３電磁弁９８が閉塞されることで、ノズル４１〜４３から洗浄液が放出され、第１処理槽１０のチャンバ１１内の洗浄が行われる。この際、第１処理槽１０で使用された洗浄液が第２処理槽２０に流下されることで、シンク２１内に洗浄液が貯留される。これにより、シンク２１内の容器３２が洗浄液に浸される。そして、第１処理槽１０の洗浄終了後に、撹拌部材２２によりシンク２１内の洗浄液と容器３２とが攪拌され、容器３２が分解される。容器３２は、分解されることで洗浄液と合わさり、液状となる。
【００４９】
容器３２の分解後、シンク２１内の洗浄液と容器３２とは、シンク２１の下部に接続された排液系８から下水に排出される。容器３２の廃棄処理後は、再度、ノズル４１〜４３から洗浄液が噴射され、シンク２１の洗浄が行われる。
そして、シンク２１の洗浄終了後には扉２Ａが開かれ、第２運転プログラムが終了した
ことを作業者に知らせる。なお、開いた状態の扉２Ａは、開閉用スイッチ６１を操作することにより、閉じることができる。
【００５０】
［再利用可能な容器及び使い捨て容器の同時処理］
また、処理装置１０１では、再利用可能な容器３１の洗浄処理と、使い捨て容器３２の廃棄処理とを同時に行うこともできる。この場合も、まず、開閉用スイッチ６１を操作して扉２Ａを開く。そして、第１処理槽１０の前方の開口部から、チャンバ１１内の支持具１２の支柱１３に再利用可能な容器３１を被洗浄位置に支持する。また、第２処理槽２０の前方の開口部から、シンク２１内に使い捨て容器３２を投入する。次に、第２運転プログラム開始スイッチ６３を操作することで、第２処理槽２０の運転プログラムとともに、第１処理槽１０の運転プログラムをスタートさせる。各運転プログラムをスタートさせると、扉２Ａが閉まり、第１処理槽１０と第２処理槽２０とが閉鎖され、供給選択部９０Ｃにより第１及び第２電磁弁９６，９７が開放され、かつ、第３電磁弁９８が閉塞されることで、ノズル４１〜４３から洗浄液が放出され、チャンバ１１内の再利用可能な容器３１が洗浄される。
【００５１】
この際、容器３１の洗浄に使用された洗浄液は、第２処理槽２０に流下される。また、第２処理槽２０では、第１処理槽１０から流下された洗浄液がシンク２１内に溜められるとともに、第３ノズル４３から噴射された洗浄液がシンク２１内に溜められ、シンク２１内の容器３２が洗浄液に浸される。このように、処理装置１０１では、第１処理槽１０で使用された洗浄液が、第２処理槽２０における使い捨て容器３２の処理にも使用され、洗浄液の有効利用を図ることができる。
そして、シンク２１内の洗浄液と使い捨て容器３２とは、第１処理槽１０における再利用可能な容器３１の洗浄終了後に、供給選択部９０Ｃにより第１及び第２電磁弁９６，９７が閉鎖され、かつ、第３電磁弁９８が開放されることで、送風器９５から加熱された乾燥気体が接続管９５Ａを介して接続管９４Ｃに供給される。これにより、第１ノズル４１及び第２ノズル４２から上記乾燥気体が放出され、容器３１が乾燥される。
一方、再利用可能な容器３１の乾燥処理後にモータ２３の駆動により撹拌部材２２が攪拌され、使い捨て容器３２が分解される。使い捨て容器３２は、分解されることで洗浄液と合わさり、液状となる。使い捨て容器３２の分解後、シンク２１内の洗浄液と容器３２とは、シンク２１の下部に接続された排液系８から下水に排出される。
【００５２】
そして、使い捨て容器３２の分解処理後に扉２Ａが開かれ、第２運転プログラムが終了したことを作業者に知らせる。これにより、作業者は、洗浄及び乾燥済の再利用可能な容器３２を第１処理槽１０から取り出すことができる。なお、開いた状態の扉２Ａは、開閉用スイッチ６１を操作することにより、閉じることができる。
【００５３】
上記実施形態では、ノズル４１，４２から噴出した洗浄液により洗浄された再利用可能な容器４１に、送風器９５からチャンバ１１内に供給された上記乾燥気体が供給され、再利用可能な容器３１が乾燥されるので、該容器３１に付着した洗浄液（水滴）を蒸発させやすくできる。
また、供給選択部９０Ｃにより第１電磁弁９６及び第３電磁弁９８の一方が開放され、他方が閉塞されることで、ノズル４１，４２から洗浄液を噴射させて再利用可能な容器３１を洗浄した後、ノズル４１，４２から乾燥気体を再利用可能な容器３１に供給できることから、乾燥気体を供給する構成をチャンバ１１内に別途設ける必要がないので、チャンバ１１内により多くの再利用可能な容器３１を収容できる。
【００５４】
また、微酸性電解水は、希塩酸を電気分解した液を水で希釈したものであり、殺菌、消臭効果を有することから、洗浄後の再利用可能な容器の安全性を高めることができる。
さらに、チャンバ１１内に供給される乾燥気体が加熱器により加熱されるので、該加熱
された乾燥気体により再利用可能な容器３１に付着した洗浄液をより迅速に蒸発させる（除去する）ことができる。
【００５５】
医療・介護用容器の処理装置１０１では、第１処理槽１０において再利用可能な容器３１の洗浄を行い、分解装置の第２処理槽２０において使い捨て容器３２の分解処理を行うことができ、容器に応じて適切な処理を行わせることができる。そして、これら第１処理槽１０（洗浄装置）及び第２処理槽２０（分解装置）を一つの筐体内に配置したことにより、その設置、移動も容易になり、病棟内の狭いスペースにも設置することが可能になる。さらに、第１処理槽１０で使用した洗浄液の少なくとも一部を第２処理槽２０における液として使用するので、洗浄液の有効利用を図ることができる。
【００５６】
また、処理装置１０１では、排液系８を１つに集約し、第１処理槽１０で使用された洗浄液と第２処理槽２０で使用された液とを併せて１つの排液系８から外部に排出することとしたので、設置場所に排液口が１つあれば、処理装置１０１を設置できる。そして、処理装置１０１では、前述したように、二つの処理槽１０，２０を上下に配置して、洗浄液を自然に第１処理槽１０から第２処理槽２０へ流下させるようにしているので、ポンプ９４等の付帯設備が少なくて済み、省力化とともに、さらなる小型化を図ることができる。また、第１処理槽１０から流下する洗浄液が第２処理槽２０を経由することにより、第１処理槽１０において洗浄処理を行う度に、併せて第２処理槽２０内の洗浄も行うことができ、処理装置１０１の衛生状態を良好に保つことができる。さらに、処理装置１０１では、扉２Ａを上下移動させる構造としたので、扉２Ａの開閉のためのスペースを装置の前方に大きく確保する必要がなく、設置スペースをさらに小さくすることができる。
【００５７】
［第２実施形態］
上記実施形態では、医療・介護用容器の処理装置１０１は、第１処理槽１０及び第２処理槽２０を備えることとしたが、これに限らず、例えば、第１処理槽１０（洗浄装置）のみにより構成されてもよい。なお、以下の説明では、排液系８Ａ、チャンバ１１Ａ、支持具１２Ａ、支柱１３Ａ、第１ノズル４１Ａ及び第２ノズル４２Ａの構成については、上記排液系８、チャンバ１１、支持具１２、支柱１３、第１ノズル４１及び第２ノズル４２と略同一の構成であるため、説明を省略する。
本実施形態の処理装置１０１Ａ（洗浄装置）は、図７及び図８に示すように、筐体１Ａと、該筐体１Ａの正面に配置され、開閉駆動部３Ｂの駆動により開閉可能な扉２Ｂとを備えている。この扉２Ｂは、上記第１実施形態と異なり、扉２Ｂの下端部が支持され、該下端部を軸として、図７の矢印に示すように、前側に開放可能となっている。
【００５８】
また、処理装置１０１Ａは、図８に示すように、チャンバ１１Ａ内に配置され、第２タンク１０４において微酸性電解水とリンス剤（乾燥促進剤）とが混合された洗浄液又は乾燥気体を噴出する第１ノズル４１Ａ及び第２ノズル４２Ａと、チャンバ１１内に供給され湿気を含んだ乾燥気体を排出するスチームコンデンサ１０９と、洗浄液を各ノズル４１Ａ，４２Ａに供給する第１供給部１００Ａと、乾燥気体を第１ノズル４１Ａ及び第２ノズル４２Ａに供給する第２供給部１００Ｂと、洗浄液及び乾燥気体のいずれか一方の各ノズル４１Ａ，４２Ａへの供給を停止させ、いずれか他方の各ノズル４１Ａ，４２Ａへの供給を開始する供給選択部１００Ｃと、を備え、これらは筐体１Ａに収容されている。
【００５９】
［第１供給部の構成］
第１供給部１００Ａは、図８に示すように、第２タンク１０４にリンス剤を供給するチューブポンプ１０２と、乾燥促進剤が含まれたリンス剤が貯留される第１タンク１０３と、微酸性電解水が貯留されている第２タンク１０４と、乾燥促進剤が混合された微酸性電解水を洗浄液としてチャンバ１１Ａ内に供給するポンプ１０５とにより構成されている。これらのうち、チューブポンプ１０２、第１タンク１０３及び第２タンク１０４により、本発明の洗浄液生成装置が構成される。
また、第２タンク１０４では、微酸性電解水にチューブポンプ１０２により乾燥促進剤を含むリンス剤が供給され、該第２タンク１０４内において乾燥促進剤と微酸性電解水とが混合されて、上記洗浄液となる。
【００６０】
供給配管９Ａは、ポンプ１０５と各ノズル４１Ａ，４２Ａとの間に設けられており、ポンプ１０５の吐出口に接続された接続管１０５Ａと、接続管１０５Ａの下流位置で分岐する接続管１０５Ｂ，１０５Ｃとを有する。接続管１０５Ｂは、第１ノズル４１Ａに接続され、接続管１０５Ｃは、第２ノズル４２Ａに接続されている。
この乾燥促進剤が混合された洗浄液は、ポンプ１０５の駆動により接続管１０５Ａ、接続管１０５Ｂ及び接続管１０５Ｃを流通し、各ノズル４１Ａ，４２Ａを通じて、チャンバ１１Ａ内に供給される。
【００６１】
［第２供給部の構成］
第２供給部１００Ｂは、図８に示すように、再利用可能な容器３１（図８では図示省略）を乾燥させる乾燥気体をチャンバ１１Ａ内に供給する送風器１０６により構成されている。この送風器１０６には、該送風器１０６によりチャンバ１１内に供給される乾燥気体を加熱する加熱器が設けられている。また、送風器１０６には接続管１０６Ａが設けられ、この接続管１０６Ａの先端部は、供給配管９Ａにおける接続管１０５Ａの分岐部より上流側で、後述の第１電磁弁１０７より下流位置に接続されている。これにより、接続管１０６Ａ、接続管１０５Ａの一部、接続管１０５Ｂ及び接続管１０５Ｃを加熱された乾燥気体が流通し、ノズル４１Ａ，４２Ａからチャンバ１１Ａ内に供給される。
【００６２】
［供給選択部の構成］
供給選択部１００Ｃは、図８に示すように、洗浄液又は乾燥気体のいずれか一方をノズル４１Ａ，４２Ａに供給し、いずれか他方のノズル４１Ａ，４２Ａへの供給を停止する。この供給選択部１００Ｃは、接続管１０５Ａに配置され、その管路を開閉する第１電磁弁１０７と、接続管１０６Ａに配置され、その管路を開閉する第２電磁弁１０８と、により構成されている。
この供給選択部１００Ｃは、チャンバ１１Ａ内において再利用可能な容器３１を洗浄する際には、第１電磁弁１０７を開放させて接続管１０５Ａを介して洗浄液を接続管１０５Ｂ，１０５Ｃに流通させ、第２電磁弁１０８を閉塞させて乾燥気体の接続管１０６Ａを介する接続管１０５Ｂ，１０５Ｃへの流通を停止させる。一方、供給選択部１００Ｃは、チャンバ１１Ａ内において再利用可能な容器３１を乾燥する際には、第１電磁弁１０７を閉塞させて洗浄液の接続管１０５Ａを介する接続管１０５Ｂ，１０５Ｃへの流通を停止させ、第２電磁弁１０８を開放させて接続管１０６Ａを介して乾燥気体を接続管１０５Ｂ，１０５Ｃに流通させる。このように第１電磁弁１０７及び第２電磁弁１０８のいずれかを開放し、他方を閉塞することで、チャンバ１１Ａ内に洗浄液又は乾燥気体のいずれかを供給するようにしている。
【００６３】
［スチームコンデンサの構成］
スチームコンデンサ１０９は、チャンバ１１Ａの一方の側面及び天面の一部を覆う形状であり、チャンバ１１Ａに供給され再利用可能な容器３１を乾燥させることにより湿気を含んだ乾燥気体が流入する開口１１０と、該開口１１０から流入した湿気を含んだ乾燥気体を外部に放出する排出部１１１と、スチームコンデンサ１０９内に水を流入させる流入口１１２と、を備えている。
この開口１１０は、スチームコンデンサ１０９におけるチャンバ１１Ａの天面に対向する位置に設けられ、排出部１１１は、スチームコンデンサ１０９におけるチャンバ１１Ａの側面部の下部に対向する位置に設けられている。これにより、スチームコンデンサ１０９内に流入した湿気を含んだ乾燥気体は、チャンバ１１Ａの天面から側面に向かって流通し、スチームコンデンサ１０９から放出される。
なお、流入口１１２からスチームコンデンサ１０９内に流入させることで、開口１１０を介してスチームコンデンサ１０９内に流入した湿気を含んだ乾燥気体（蒸気）の一部が凝縮されて水となる。これにより、チャンバ１１内の蒸気を減少させることが可能となる。
【００６４】
［再利用可能な容器の洗浄及び乾燥方法］
このように構成される処理装置１０１Ａにおいて、再利用可能な容器３１を洗浄する場合には、扉２Ｂを開き、チャンバ１１Ａ内の支持具１２Ａの支柱１３Ａに挿通させて、容器３１を被洗浄位置に支持する。扉２Ｂが閉まり、チャンバ１１Ａが閉鎖されると、供給選択部１００Ｃにより、第１電磁弁１０７が開放され、第２電磁弁１０８が閉塞されることで、接続管１０５Ａを介して供給配管９Ａに洗浄液が供給され、各ノズル４１Ａ，４２Ａから洗浄液が放出され、容器３１が洗浄される。
そして、容器３１の洗浄が終了すると、供給選択部１００Ｃにより第１電磁弁１０７が閉鎖され、かつ、第２電磁弁１０８が開放されることで、送風器１０６から加熱された乾燥気体が接続管１０６Ａを介して接続管１０５Ｂに供給される。このチャンバ１１Ａ内に供給された乾燥気体は、容器３１に噴射されることで、湿気（容器３１の表面に付着した洗浄液）を含んだ乾燥気体となり、該乾燥気体がスチームコンデンサ１０９の開口１１０内に流入し、排出部１１１から放出される。
そして、容器３１の乾燥が終了すると扉２Ｂが開かれ、作業者は、洗浄及び乾燥済の容器３１をチャンバ１１内から取り出すことができる。
【００６５】
本実施形態においても、上記第１実施形態と同様の効果を奏することができる。また、本実施形態の処理装置１０１Ａは、分解装置を備えていないことから、処理装置１０１Ａをより小型化でき、かつ、洗浄装置として好適に利用できる。
【００６６】
また、本発明は上記各実施形態に限定されるものではなく、本発明の趣旨を逸脱しない範囲において種々の変更を加えることが可能である。
上記各実施形態では、微酸性電解水に乾燥促進剤が混合された液体を洗浄液として用いることとしたが、これに限らず、例えば、洗浄液として水を用いてもよいし、該水に乾燥促進剤を混合しなくてもよい。この場合、第１実施形態では、微酸性電解水生成器９１、及び混合器９３はなくてもよく、タンク９２内に水を貯留しておけばよい。第２実施形態においては、チューブポンプ１０２及び第１タンク１０３はなくてもよく、第２タンク１０４内に水を貯留しておけばよい。
【００６７】
上記第１実施形態では、タンク９２内に貯留された微酸性電解水に混合器９３から乾燥促進剤が供給されることとしたが、これに限らず、例えば、混合器９３は、撥水剤をタンク９２内の微酸性電解水に供給することとしてもよい。この場合、タンク９２内において、撥水剤を含む微酸性電解水が洗浄液として用いられることとなるが、撥水剤は、これが付着した物質の表面張力を高める（濡れ性を低下させる）機能を有しているため、この洗浄液により洗浄された再利用可能な容器３１の表面の表面張力が高まり、該表面には、洗浄液が複数の水滴が付着した状態となる。このため、ノズル４１，４２から乾燥気体が供給されると、該乾燥気体により複数の水滴を吹き飛ばすことで、上記水滴を除去することができる。なお、この場合、上記第１実施形態の場合に比べて、送風器９５の送風圧力を高めて、より水滴を吹き飛ばすようにしてもよい。また、第２実施形態においても、リンス剤に撥水剤が含まれていることとしてもよい。
【００６８】
また、上記第１実施形態の処理装置１０１では、第１処理槽１０の下方に第２処理槽２０を配置し、第１処理槽１０と第２処理槽２０との間に、具体的には、第２処理槽２０の上部に、第１処理槽１０から流下する洗浄液を第２処理槽２０に流下可能な開口２５を形成していたが、これに限定されるものではない。第１処理槽１０と第２処理槽２０との配置は上下に限定されるものではなく、種々の配置を採用できる。また、開口２５は、第１処理槽１０と第２処理槽２０との間を接続する配管やノズル等の接続口により形成することができ、これらの配管等により第１処理槽１０から第２処理槽２０に向けて洗浄液を供給する構成としてもよい。
【符号の説明】
【００６９】
１  筐体
１Ａ  筐体
２Ａ  扉
２Ｂ  扉
３Ａ  開閉駆動部
３Ｂ  開閉駆動部
４  アクチュエータ
５Ａ  ガイド機構
６  フットスイッチ
７  網板
８  排液系
９  供給配管
９Ａ  供給配管
１０  第１処理槽（洗浄装置）
１１  チャンバ
１１Ａ  チャンバ
１２  支持具
１２Ａ  支持具
１３  支柱
１３Ａ  支柱
２０  第２処理槽（分解装置）
２１  シンク
２２  撹拌部材
２３  モータ
２５  開口
３１  再利用可能な容器
３２  使い捨て容器
４１  第１ノズル
４２  第２ノズル
４３  第３ノズル
６１  開閉用スイッチ
６２  第１運転プログラム開始スイッチ
６３  第２運転プログラム開始スイッチ
９０Ａ  第１供給部
９０Ｂ  第２供給部
９０Ｃ  供給選択部
９１  微酸性電解水生成器（洗浄液生成装置）
９２  タンク（洗浄液生成装置）
９３  混合器（洗浄液生成装置）
９４  ポンプ
９４Ａ  接続管
９４Ｂ  接続管
９４Ｃ  接続管
９５  送風器
９５Ａ  接続管
９６  第１電磁弁
９７  第２電磁弁
９８  第３電磁弁
１００Ａ  第１供給部
１００Ｂ  第２供給部
１００Ｃ  供給選択部
１０１  医療・介護用容器の処理装置
１０１Ａ  処理装置（洗浄装置）
１０２  チューブポンプ（洗浄液生成装置）
１０３  第１タンク（洗浄液生成装置）
１０４  第２タンク（洗浄液生成装置）
１０５  ポンプ
１０５Ａ  接続管
１０５Ｂ  接続管
１０５Ｃ  接続管
１０６  送風器
１０６Ａ  接続管
１０７  第１電磁弁
１０８  第２電磁弁
１０９  スチームコンデンサ
１１０  開口
１１１  排出部
１１２  流入口
【図１】
2020062533.tif 000003
【図２】
2020062533.tif 000004
【図３】
2020062533.tif 000005
【図４】
2020062533.tif 000006
【図５】
2020062533.tif 000007
【図６】
2020062533.tif 000008
【図７】
2020062533.tif 000009
【図８】
2020062533.tif 000010
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
洗浄液が供給されるチャンバと、
前記チャンバ内に位置し、前記洗浄液を噴射して再利用可能な容器を洗浄するとともに、乾燥気体を放出して前記再利用可能な容器を乾燥させるノズルと、
前記再利用可能な容器を乾燥させる乾燥気体を、前記ノズルを介して前記チャンバ内に供給する送風器と、
前記洗浄液を前記ノズルに供給する第１供給部と、
前記乾燥気体を前記ノズルに供給する第２供給部と、
前記洗浄液及び前記乾燥気体の前記ノズルへの供給を制御する供給選択部と、を備えることを特徴とする医療・介護用容器の洗浄装置。
【請求項２】
前記供給選択部は、前記洗浄液及び前記乾燥気体のいずれか一方の前記ノズルへの供給を停止させ、いずれか他方の前記ノズルへの供給を開始することを特徴とする請求項１に記載の医療・介護用容器の洗浄装置。
【請求項３】
前記ノズルは、前記再利用可能な容器の外側に前記洗浄液を噴射する第１ノズルを備えることを特徴とする請求項１又は２に記載の医療・介護用容器の洗浄装置。
【請求項４】
筐体内に、
請求項１から３のいずれか一項に記載の医療・介護用容器の洗浄装置と、
液を貯留可能であって使い捨て容器が投入されるシンク、前記シンク内の前記液内に前記使い捨て容器を浸して撹拌する撹拌部材及び該撹拌部材を回転させるモータを有する分解装置と、を備えることを特徴とする医療・介護用容器の処理装置。